(57)【要約】【課題】光の透過率が高く、表示に十分な明るさを確保することができるとともに、黒を表示することができる半透過型の表示装置を提供する。【解決手段】半透過型の表示装置１は、表示パネル２とバックライト３とを備え、表示パネル２は、電極１２を有する基板１０と電極２２を有する基板２０と形状異方性部材３２を含む光変調層３０とを有し、電極１２・２２間に印加する電圧の周波数を変化させて形状異方性部材３２を回転させるとともに、形状異方性部材３２を、その長軸が、隣接する一方の基板に平行になるように配向させたときに、入射光を多重反射させて黒を表示する。【選択図】図１
2015143725.tif 000002
【特許請求の範囲】
【請求項１】
表示パネルとバックライトとを備え、外光から入射された光を反射して表示を行う反射表示と、上記バックライトから照射された光を透過して表示を行う透過表示とを切り替えて表示を行う半透過型の表示装置であって、
上記表示パネルは、
第１の電極を有する第１の基板と、
第２の電極を有し、上記第１の基板に対向して配された第２の基板と、
反射面を有し、かつ、回転することで基板の法線方向から見た投影像の面積が変化する複数の形状異方性部材を含み、上記第１の基板と第２の基板との間に挟持された光変調層とを有し、
上記第１および第２の電極間に印加する電圧の周波数を変化させて上記形状異方性部材を回転させることにより上記光変調層に入射された光の透過率を制御するとともに、
上記形状異方性部材を、上記第１および第２の基板のうち一方の基板に隣接し、かつ、該基板に隣接する形状異方性部材の長軸が上記基板に平行になるように配向させたときに、上記光変調層に入射された光を上記形状異方性部材で多重反射させて黒を表示することを特徴とする表示装置。
【請求項２】
上記光変調層は、上記形状異方性部材を上記一方の基板上に敷き詰めたときに少なくとも２層積層される量の形状異方性部材を含んでいることを特徴とする請求項１に記載の表示装置。
【請求項３】
上記第１および第２の電極間に印加する電圧を、周波数が０Ｈｚとなる直流または予め設定された第１の閾値以下の低周波数と、予め設定された第２の閾値以上の高周波数とで切り替えることを特徴とする請求項１または２に記載の表示装置。
【請求項４】
上記形状異方性部材は、その長軸が、上記第１および第２の電極間に印加する電圧が直流または上記第１の閾値以下の低周波数のときは上記第１および第２の基板に平行になるように配向し、上記第１および第２の電極間に印加する電圧が上記第２の閾値以上の高周波数のときは上記第１および第２の基板に垂直になるように配向することを特徴とする請求項３に記載の表示装置。
【請求項５】
上記形状異方性部材が帯電性を有することを特徴とする請求項１〜４の何れか１項に記載の表示装置。
【請求項６】
上記形状異方性部材は、上記第１および第２の基板のうち、上記形状異方性部材に帯電した電荷の極性と逆極性の電荷が帯電された電極を有する基板に隣接して配向するとともに、
上記第１の電極に帯電する電荷の極性と上記第２の電極に帯電する電荷の極性とを切り替えることで、上記形状異方性部材が隣接して配向する基板を、上記第１の基板と第２の基板とで切り替えることを特徴とする請求項５に記載の表示装置。
【請求項７】
透過表示時および反射表示時に、上記形状異方性部材を、上記第１および第２の基板のうち何れか一方の基板に隣接して配向させて多重反射させることで、上記形状異方性部材の配向のみで反射表示時および透過表示時にともに黒を表示させることを特徴とする請求項６に記載の表示装置。
【請求項８】
上記バックライトの発光面は、複数の分割照明領域に区分されており、各分割照明領域に光源が配置されていることを特徴とする請求項１〜７の何れか１項に記載の表示装置。
【請求項９】
上記各分割照明領域に、上記光源として、各色に発光する光源が配置されていることを特徴とする請求項８に記載の表示装置。
【請求項１０】
上記光源は、単色発光する光源であることを特徴とする請求項９に記載の表示装置。
【請求項１１】
分割照明領域毎に発光色を切り替えることを特徴とする請求項９に記載の表示装置。
【請求項１２】
上記基板に垂直な方向から見たときに、上記光変調層における、上記バックライトの各分割照明領域の境界部分に対応する領域に仕切りが設けられていることを特徴とする請求項８〜１１に記載の表示装置。
【請求項１３】
上記形状異方性部材が着色されていることを特徴とする請求項１〜１２の何れか１項に記載の表示装置。
【請求項１４】
上記バックライトをエリアアクティブ駆動することで、透過表示と反射表示とを同時に行うことを特徴とする請求項８〜１３の何れか１項に記載の表示装置。
【請求項１５】
上記表示パネルにおける各画素に、カラーフィルタが設けられていることを特徴とする請求項１〜１４の何れか１項に記載の表示装置。
【発明の詳細な説明】
【技術分野】
【０００１】
本発明は、反射表示と透過表示とを切り替えて表示を行う半透過型の表示装置に関するものである。
【背景技術】
【０００２】
液晶表示装置は、モニタ、プロジェクタ、携帯電話、携帯情報端末（ＰＤＡ）等の電子機器に幅広く利用されている。
【０００３】
このような液晶表示装置には、反射型、透過型、半透過型（反射透過型）の３種類がある。
【０００４】
このうち、反射透過型の液晶表示装置は、屋内等の比較的暗い照明下では、バックライト光を利用して透過表示を行う一方、屋外等の比較的明るい照明下では、照明光を利用して反射表示を行うものである。これにより、照明の明るさに拘らず、あらゆる照明下（光環境下）での表示が可能である。このため、半透過型の液晶表示装置は、携帯電話、ＰＤＡ、デジタルカメラ等のモバイル機器に多く搭載されている（例えば、特許文献１等参照）。
【０００５】
図１４は、特許文献１に記載の液晶表示装置における液晶パネルの概略構成を模式的に示す断面図である。
【先行技術文献】
【特許文献】
【０００６】
【特許文献１】特開２００３−１６１９４４号公報（２００３年６月６日公開）
【特許文献２】特表２００７−５０６１５２号公報（２００７年３月１５日公開）
【発明の概要】
【発明が解決しようとする課題】
【０００７】
しかしながら、このような半透過型の液晶表示装置における液晶パネルは、図１４に示すように、１画素を、反射電極が設けられた反射表示部と、透明電極が設けられた透過表示部とに分割している。
【０００８】
このため、単純に考えると、各表示の開口率が５０％以下に下がってしまい、十分な明るさの表示を行うことができない。
【０００９】
また、液晶パネルは、図１４に示すように、光の透過を制御するために、特定方向の偏光成分のみを透過させる偏光板が、一対の基板における液晶層との対向面とは反対側にそれぞれ設けられている。このため、液晶パネルに入射した光は、その一部のみが偏光板を通過し、大部分の光は、偏光板によって吸収される。このため、この偏光板の光の吸収による光の損失が、光の利用効率を低下させ、透過率を低下させる大きな要因となっている。
【００１０】
このように、液晶パネルでは、偏光板を用いているため、光の透過率が低く、十分な明るさの表示を行うことができない。
【００１１】
一方で、近年、偏光板を必要としない表示パネルの開発が進められている。特許文献２には、複数の粒子を含む懸濁層に入射された光を透過または反射する半透過反射ディスプレイが開示されている。
【００１２】
図１５の（ａ）・（ｂ）は、特許文献２に記載の半透過反射ディスプレイで用いられる懸濁粒子装置３０１の概略構成を示す断面図であり、図１５の（ａ）は光透過状態の断面図を示し、図１５の（ｂ）は、光反射状態の断面図を示す。
【００１３】
特許文献２に記載の懸濁粒子装置３０１は、図１５の（ａ）・（ｂ）に示すように、互いに対向配置された透明プレート３０３および絶縁基板３０４と、これら透明プレート３０３と絶縁基板３０４との間に挟持され、反射性粒子３１１が絶縁流体３１２中に懸濁されてなる懸濁流体３０２とを備えている。
【００１４】
また、懸濁粒子装置３０１は、反射性粒子３１１を透明プレート３０３および絶縁基板３０４に垂直な方向に配向させるための電界Ｖ１を印加する電極３０５・３０６と、反射性粒子３１１を透明プレート３０３および絶縁基板３０４に平行な方向に配向させるための電界Ｖ２を印加する電極３０８・３０９とを備えている。
【００１５】
これにより、懸濁粒子装置３０１は、反射性粒子３１１に電圧を印加して反射性粒子３１１を垂直または水平に配向させ、図示しないバックライトの光を透過または外光を反射させることにより表示を行う。
【００１６】
しかしながら、特許文献２に記載の半透過反射ディスプレイは、光透過状態では図示しないバックライト光を表示し、光反射状態では反射性粒子３１１の反射光を表示しているだけであって、「黒」を表示することはできない。
【００１７】
本発明は、上記問題点に鑑みてなされたものであり、その目的は、光の透過率が高く、表示に十分な明るさを確保することができるとともに、黒を表示することができる半透過型の表示装置を提供することにある。
【課題を解決するための手段】
【００１８】
上記の課題を解決するために、本発明にかかる表示装置は、表示パネルとバックライトとを備え、外光から入射された光を反射して表示を行う反射表示と、上記バックライトから照射された光を透過して表示を行う透過表示とを切り替えて表示を行う半透過型の表示装置であって、上記表示パネルは、（Ｉ）（ｉ）第１の電極を有する第１の基板と、（ii）第２の電極を有し、上記第１の基板に対向して配された第２の基板と、（iii）反射面を有し、かつ、回転することで基板の法線方向から見た投影像の面積が変化する複数の形状異方性部材を含み、（II）上記第１の基板と第２の基板との間に挟持された光変調層とを有し、上記第１および第２の電極間に印加する電圧の周波数を変化させて上記形状異方性部材を回転させることにより上記光変調層に入射された光の透過率を制御するとともに、（III）上記形状異方性部材を、上記第１および第２の基板のうち一方の基板に隣接し、かつ、該基板に隣接する形状異方性部材の長軸が上記基板に平行になるように配向させたときに、上記光変調層に入射された光を上記形状異方性部材で多重反射させて黒を表示することを特徴としている。
【００１９】
上記の構成によれば、上記第１および第２の電極間に印加する電圧の周波数を変化させて上記形状異方性部材を回転させることにより、上記形状異方性部材における、基板の法線方向から見た投影像の面積を変化させて、上記光変調層に入射された光の透過率を制御することができるので、反射表示および透過表示を、形状異方性部材の回転（配向）のみで実現することができる。
【００２０】
そして、このとき、上記形状異方性部材を回転させて、上記形状異方性部材を、上記第１および第２の基板のうち一方の基板に隣接し、かつ、該基板に隣接する形状異方性部材の長軸が上記基板に平行になるように配向させたときに、上記光変調層に入射された光を多重反射させて黒を表示することから、上記形状異方性部材の回転（配向）のみで、黒を表示することができる。
【００２１】
したがって、黒を表示するために１画素を透過表示領域および反射表示領域に分割することなく、黒の表示と、反射表示および透過表示の切り替えとを、ともに実現することができる。すなわち、上記表示装置は、黒の表示が可能でありながら、１画素全体を透過表示にも反射表示にも切り替えることができる。
【００２２】
しかも、上記の構成によれば、特許文献２のように、反射性粒子を基板に垂直な方向に配向させるための電極と、反射性粒子を基板に平行な方向に配向させるための電極とを別々に設ける必要がない。また、液晶表示装置のように偏光板を必要ともしない。
【００２３】
したがって、上記の構成によれば、簡素な構成で、かつ、光の透過率が高く、表示に十分な明るさを確保することができるとともに、黒を表示することができる半透過型の表示装置を提供することができる。
【００２４】
また、上記光変調層は、上記形状異方性部材を上記一方の基板上に敷き詰めたときに少なくとも２層積層される量の形状異方性部材を含んでいることが望ましい。
【００２５】
上記の構成によれば、形状異方性部材を、基板上に２層以上、隣接して配向させることができる。このため、多重反射を引き起こすような、形状異方性部材の表面が斜めに傾いた層を、確実に形成することができる。
【００２６】
このため、上記形状異方性部材に、単純な直方体のフレークを用いた場合であっても、最上層の形状異方性部材の向きが基板と平行にならず、外光が多重反射を起こし、光が入射側に戻らなくなる。このため、反射光が減少し、黒表示が可能となる。
【００２７】
なお、上記形状異方性部材としては、直方体のフレークを用いることが、安価でかつ明るい表示を得ることができることから好ましく、このような直方体状のフレークを用いて多重反射を起こすことには、大きなメリットがある。
【００２８】
したがって、上記形状異方性部材は、直方体のフレークであることが好ましい。
【００２９】
また、上記光変調層は、上記形状異方性部材を上記一方の基板上に敷き詰めたときに数十層積層される量の形状異方性部材を含んでいることがより望ましい。
【００３０】
これにより、多重反射を引き起こすような、形状異方性部材の表面が斜めに傾いた層を、基板全体に渡って、より一層確実に形成することができる。
【００３１】
上記表示装置は、上記第１および第２の電極間に印加する電圧を、周波数が０Ｈｚとなる直流または予め設定された第１の閾値以下の低周波数と、予め設定された第２の閾値以上の高周波数とで切り替える構成とすることができる。
【００３２】
これにより、上記形状異方性部材を回転させ、上記形状異方性部材における、基板の法線方向から見た投影像の面積を変化させて、上記光変調層に入射された光の透過率を制御することができる。
【００３３】
また、上記表示装置では、上記形状異方性部材が、その長軸が、上記第１および第２の電極間に印加する電圧が直流または上記第１の閾値以下の低周波数のときは上記第１および第２の基板に平行になるように配向し、上記第１および第２の電極間に印加する電圧が上記第２の閾値以上の高周波数のときは上記第１および第２の基板に垂直になるように配向する構成とすることができる。
【００３４】
また、上記形状異方性部材は、帯電性を有することが望ましい。
【００３５】
上記の構成によれば、上記第１および第２の基板間に印加する電圧の周波数を変化させることにより形状異方性部材を回転させることができるとともに、上記形状異方性部材を、上記形状異方性部材に帯電した電荷の極性と逆極性の電荷が帯電された電極を有する基板に、貼り付くように隣接して配向させることができる。
【００３６】
また、上記表示装置は、上記形状異方性部材が、上記第１および第２の基板のうち、上記形状異方性部材に帯電した電荷の極性と逆極性の電荷が帯電された電極を有する基板に隣接して配向するとともに、上記第１の電極に帯電する電荷の極性と上記第２の電極に帯電する電荷の極性とを切り替えることで、上記形状異方性部材が隣接して配向する基板を、上記第１の基板と第２の基板とで切り替えることが望ましい。
【００３７】
これにより、反射表示において、例えば白表示と黒表示とを切り替えることができる。また、例えばバックライトをエリアアクティブ駆動することで、あらかじめ設定された照明領域毎（つまり、分割照明領域毎、例えば画素毎）に、異なる表示を行うことができる。
【００３８】
また、上記表示装置は、透過表示時および反射表示時に、上記形状異方性部材を、上記第１および第２の基板のうち何れか一方の基板に隣接して配向させて多重反射させることで、上記形状異方性部材の配向のみで反射表示時および透過表示時にともに黒を表示させることが望ましい。
【００３９】
これにより、反射表示時にも透過表示時にも黒を表示することができる半透過型の表示装置を提供することができる。
【００４０】
また、上記表示装置は、上記バックライトの発光面が、複数の分割照明領域に区分されており、各分割照明領域に光源が配置されていることが望ましい。
【００４１】
上記の構成によれば、エリアアクティブ駆動を行うことで、分割照明領域毎（例えば画素毎）に、透過表示と反射表示とを切り替えることが可能となる。
【００４２】
また、上記各分割照明領域には、上記光源として、各色に発光する光源が配置されていることが望ましい。
【００４３】
上記の構成によれば、透過表示時に、上記形状異方性部材を、上記バックライトから光変調層に入射された光が光変調層を透過するように配向させる（例えば、基板に垂直な方向に配向させる）ことで、カラーフィルタを使用しなくてもカラー表示を行うことができる。
【００４４】
また、上記光源は、単色発光する光源であることが望ましい。
【００４５】
上記の構成によれば、簡素な構成で、上記分割照明領域毎に、予め設定された色のカラー表示を行うことができる。
【００４６】
また、上記表示装置は、分割照明領域毎に発光色を切り替えることが望ましい。
【００４７】
これにより、任意の領域で、バックライトの発光色を任意に切り替えることができる。
【００４８】
また、上記表示装置は、上記基板に垂直な方向から見たときに、上記光変調層における、上記バックライトの各分割照明領域の境界部分に対応する領域に仕切りが設けられていることが望ましい。
【００４９】
これにより、上記バックライトの各分割照明領域に対応する上記表示パネルの表示領域における形状異方性部材の移動や偏りを防止することができる。また、カラー表示を行う場合に、上記バックライトの各分割照明領域に対応する上記表示パネルの表示領域において混色が生じることを防止することができる。
【００５０】
また、上記形状異方性部材は、着色されていることが望ましい。
【００５１】
これにより、反射表示時に、形状異方性部材を、表示面側の基板に隣接し、かつ、該表示面側の基板に隣接する形状異方性部材の長軸が該表示面側の基板に平行になるように配向させることで、上記形状異方性部材の反射色を観察することができる。このため、上記の構成によれば、反射表示時に、カラーフィルタを使用しなくてもカラー表示を行うことができる。
【００５２】
また、上記表示装置は、上記バックライトをエリアアクティブ駆動することで、透過表示と反射表示とを同時に行うことが望ましい。
【００５３】
反射表示を行う領域では、バックライトを消灯することができる。したがって、上記の構成によれば、透過表示と反射表示とを同時に行うことができ、かつ、消費電力を低減することができる半透過型の表示装置を提供することができる。
【００５４】
なお、この場合、例えば、白または黒を表示する部分は反射表示を行い、カラー表示を行う部分は透過表示を行う構成とすることができる。
【００５５】
上記の構成によれば、白または黒を表示する部分はバックライトを消灯して表示を行う一方、透過表示による綺麗なカラー表示を行うことができる。したがって、消費電力を抑えつつ綺麗なカラー表示を行うことができる。
【００５６】
また、上記表示パネルにおける各画素には、カラーフィルタが設けられていることが望ましい。
【００５７】
上記の構成によれば、簡素な構成で、綺麗なフルカラー表示を行うことができる。
【００５８】
なお、この場合、上記カラーフィルタは、表示面側の基板に設けられていることが望ましい。これにより、上記形状異方性部材を表示面側の基板側に配向させてカラー表示を行う場合、光変調層とカラーフィルタとの間に発生する視差を抑制することができ、高品位のカラー表示を実現することができる。
【発明の効果】
【００５９】
以上のように、本発明の表示装置は、反射表示と透過表示とを切り替えて表示を行う半透過型の表示装置である。本発明によれば、対向配置された第１および第２の基板に設けられた第１および第２の電極間に印加する電圧の周波数を変化させて、第１および第２の基板間に挟持された光変調層における形状異方性部材を回転させることで、上記光変調層に入射された光の透過率を制御することができる。したがって、反射表示および透過表示を、形状異方性部材の回転（配向）のみで実現することができる。
【００６０】
そして、このとき、上記形状異方性部材を回転させて、上記形状異方性部材を、上記第１および第２の基板のうち一方の基板に隣接し、かつ、該基板に隣接する形状異方性部材の長軸が上記基板に平行になるように配向させたときに、上記光変調層に入射された光を多重反射させて黒を表示することから、上記形状異方性部材の回転（配向）のみで、黒を表示することができる。
【００６１】
したがって、本発明によれば、簡素な構成で、かつ、光の透過率が高く、表示に十分な明るさを確保することができるとともに、黒を表示することができる半透過型の表示装置を提供することができる。
【図面の簡単な説明】
【００６２】
【図１】（ａ）・（ｂ）は、本発明の実施の形態１にかかる表示装置の要部の概略構成を示す断面図である。
【図２】図１の（ａ）・（ｂ）に示す表示装置における電源回路の概略構成の一例を示す断面図である。
【図３】（ａ）・（ｂ）は、本発明の実施の形態１にかかる表示装置の要部の他の概略構成を示す断面図である。
【図４】形状異方性部材として、基板の表面を１層のフレークで覆うために必要な量を超える程度の量のフレークを使用した場合に、フレークとフレークとの隙間に別のフレークの一部が入りこみ、斜めになった様子を示す模式図である。
【図５】形状異方性部材としてフレークを用いた場合に、光変調層内に入射した外光がフレークにより多重反射する状態を示す模式図である。
【図６】（ａ）・（ｂ）は、本発明の実施の形態２にかかる表示装置の要部の概略構成を示す断面図である。
【図７】本発明の実施の形態２にかかる表示装置の要部の概略構成を示す他の断面図である。
【図８】本発明の実施の形態２にかかる表示装置の要部の概略構成を示すさらに他の断面図である。
【図９】（ａ）・（ｂ）は、本発明の実施の形態３にかかる表示装置の要部の概略構成を示す断面図である。
【図１０】本発明の実施の形態３にかかる表示装置の要部の概略構成を示す他の断面図である。
【図１１】本発明の実施の形態４にかかる表示装置の要部の概略構成を示す断面図である。
【図１２】本発明の実施の形態４にかかる表示装置の要部の概略構成を示すブロック図である。
【図１３】本発明の実施の形態５にかかる表示装置の要部の概略構成を示す断面図である。
【図１４】特許文献１に記載の液晶表示装置における液晶パネルの概略構成を模式的に示す断面図である。
【図１５】（ａ）・（ｂ）は、特許文献２に記載の半透過反射ディスプレイで用いられる懸濁粒子装置の概略構成を示す断面図である。
【発明を実施するための形態】
【００６３】
以下、本発明の実施の形態について、詳細に説明する。
【００６４】
〔実施の形態１〕
本発明の実施の一形態について図１の（ａ）・（ｂ）〜図５に基づいて説明すれば以下の通りである。
【００６５】
＜表示装置の概略構成＞
図１の（ａ）・（ｂ）は、本実施の形態にかかる表示装置１の要部の概略構成を示す断面図であり、形状異方性を有する形状異方性部材３２（例えば、フレーク状の金属小判）の配向方向や配向（堆積）位置を種々変更した様子を示している。
【００６６】
なお、図１の（ａ）は、透過表示を行う場合における黒表示時および白表示時の断面図を示し、図１の（ｂ）は、反射表示を行う場合における黒表示時および白表示時の断面図を示す。また、図１の（ａ）・（ｂ）における右図および左図は、それぞれ、１画素の概略構成を示している。
【００６７】
本実施の形態にかかる表示装置１は、図１の（ａ）・（ｂ）に示すように、表示パネル２と、表示パネル２に光を照射するバックライト３と、図示しない駆動回路とを備え、バックライト３から出射された光を、表示パネル２を透過して表示を行うとともに、入射された外光を反射して表示を行う、いわゆる半透過型の表示装置である。
【００６８】
なお、バックライト３の構成は従来と同一である。したがって、バックライト３の構成については、その説明を省略する。バックライト３としては、例えば、エッジライト型や直下型の面光源装置等を適宜用いることができる。また、バックライト３の光源（発光源）には、蛍光管等の線状光源や、発光ダイオード（ＬＥＤ）等の点状光源等を、適宜用いることができる。
【００６９】
なお、図１の（ａ）・（ｂ）では、バックライト３の光源にＬＥＤを使用するとともに、バックライト３の光源をバックライト３として図示している。上記ＬＥＤとしては、例えば、１つのＬＥＤチップから白色発光するＬＥＤ（白色発光素子）を使用してもよく、Ｒ（赤）、Ｇ（緑）、Ｂ（青）の各色のＬＥＤチップが１つのパッケージにモールドされている白色発光素子を使用してもよく、例えば、青色ＬＥＤと黄色発光蛍光体とを組み合わせてなる白色発光素子を使用してもよい。また、後述する実施の形態に示すように、例えば、Ｒ色、Ｇ色、またはＢ色の発光色を有するＬＥＤを、バックライト３（つまり、バックライト３の光源）として用いてもよい。
【００７０】
表示パネル２は、互いに対向して配置された一対の基板１０・２０と、これら一対の基板１０・２０の間に配置された光変調層３０とを備えている。
【００７１】
また、表示パネル２は、行列状に配列された多数の画素を有している。
【００７２】
なお、以下では、基板１０（第１基板）がバックライト３側（背面側）に配され、基板２０（第２基板）が表示面側（観察者側）に配されている場合を例に挙げて説明するが、本実施の形態はこれに限定されるものではない。
【００７３】
以下に、上記各構成について説明する。
【００７４】
＜基板１０および基板２０＞
基板１０は、アクティブマトリクス基板である。基板１０は、絶縁基板１１上に、図示しない、各種信号線（走査信号線、データ信号線等）、ＴＦＴ（薄膜トランジスタ）等のスイッチング素子、および絶縁膜を備え、それらの上に、電極１２（画素電極）が設けられた構成を有している。なお、各種信号線を駆動する駆動回路（走査信号線駆動回路、データ信号線駆動回路等）の構成は、従来と同一である。
【００７５】
電極１２は、図示しないドレイン電極で、信号線（走査信号線、データ信号線）およびＴＦＴ等のスイッチング素子に接続されており、映像信号に応じた信号が印加される。
【００７６】
一方、基板２０は対向基板であり、絶縁基板２１上に、電極２２（共通電極）を備えている。
【００７７】
絶縁基板１１・２１としては、透光性および絶縁性を有していればよく、例えば、ガラス基板等の透明基板が用いられる。
【００７８】
電極１２・２２は、透明電極であり、例えば、ＩＴＯ（インジウム錫酸化物）、ＩＺＯ（インジウム亜鉛酸化物）、酸化亜鉛、酸化スズ等の透明導電膜により形成されている。また、電極１２は画素毎に形成されており、電極２２は全画素に共通するベタ状に形成されている。なお、電極２２は、電極１２と同様に、画素毎に形成されていてもよい。
【００７９】
電極１２・２２の電極厚や形成方法は、特に限定されるものではなく、液晶パネルのそれと同様に設計、選択することができる。また、スイッチング素子、各種信号線、絶縁層等の材料、層厚、形成方法等も、液晶パネルのそれと同様に設計、選択することができる。
【００８０】
＜光変調層３０＞
光変調層３０は、基板１０・２０間に設けられ、媒体３１と、媒体３１に含有される複数の形状異方性部材３２とを備えている。
【００８１】
光変調層３０は、例えば、基板１０と基板２０とを、スペーサ（図示せず）を介してシール剤（図示せず）によって貼り合わせ、両基板１０・２０間の空隙に、形状異方性部材３２を含む媒体３１を封入することにより形成される。
【００８２】
光変調層３０には、電極１２・２２に接続された電源回路３３（電源）により電極１２・２２に電圧を印加することで、電界が印加される。このとき、光変調層３０は、電極１２・２２間に印加される印加電圧の周波数の変化に応じて、バックライト３から光変調層３０に入射された光の透過率、および外部から光変調層３０に入射された光（外光）の反射率を変化させる。ここで、本明細書では、交流の電圧の周波数が０Ｈｚとなる場合を「直流」と称す。光変調層３０の厚み（セル厚）は、形状異方性部材３２の長軸方向の長さにより設定され、例えば、８０μｍに設定される。
【００８３】
＜形状異方性部材３２＞
形状異方性部材３２は、電界の方向に応じて回転または変形する、形状異方性を有する応答部材である。表示特性的には、形状異方性部材３２は、平面視における（つまり、基板１０・２０の法線方向から見たときの）形状異方性部材３２の投影像の面積（基板１０・２０への投影面積）が、光変調層３０に電界を印加する方向に応じて変化する部材である。なお、上記投影面積比（最大投影面積：最小投影面積）は、２：１以上であることが好ましい。
【００８４】
形状異方性部材３２の形状としては、例えば、フレーク状、円柱状、楕円球状、ファイバ状等を採用することができる。
【００８５】
なお、フレーク状の形状異方性部材３２（フレーク）としては、例えば、単純な直方体（平坦型、平面型）のフレーク、表面が湾曲した、お椀型に形成された（凹凸面を有する）フレーク（お椀型のフレーク）等を用いることができる。
【００８６】
また、ファイバ状の形状異方性部材３２（ファイバ）は、例えば、透明円柱状のガラスに反射膜（金属、または、金属および樹脂コート）を形成した構成とすることができる。
【００８７】
そのなかでも、形状異方性部材３２としては、製造コスト面並びに形状異方性部材３２を基板１０・２０に垂直に配向（縦配向）させたときに明るい表示を得ることができることから、単純な直方体（平坦型、平面型）のフレーク（フレーク状の形状異方性部材３２）を用いることが好ましい。
【００８８】
例えば、上記形状異方性部材３２としてフレーク（すなわち、フレーク状の形状異方性部材）を用いたときは、その厚みが１μｍ以下であることが好ましく、０．１μｍ以下であることがより好ましい。
【００８９】
形状異方性部材３２の厚みは、薄ければ薄いほど、高い透過率や、散乱の少ない黒表示を得ることができる。したがって、形状異方性部材３２の厚みは、形状に拘らず、とりわけ、光の波長以下である（例えば、０．５μｍ以下である）ことが好ましい。
【００９０】
また、形状異方性部材３２は、媒体３１中で正または負の帯電性を有するとともに、可視光を反射する性質を有する部材である。
【００９１】
形状異方性部材３２としては、例えば、電極や媒体等と電子のやり取りが可能な部材や、イオン性のシランカップリング剤等で修飾した部材を用いることができる。
【００９２】
また、形状異方性部材３２の材質としては、例えば、金属、半導体、誘電体、あるいは、これらの複合材料を採用することができる。また、誘電体多層膜またはコレステリック樹脂を用いることもできる。
【００９３】
なお、形状異方性部材３２の表面は、反射性を高めるために、鏡面処理が施されていてもよく、凹凸が形成されていてもよい。
【００９４】
形状異方性部材３２に金属を用いた場合には、例えば、一般の塗装に用いられるアルミニウムフレークを用いることができる。例えば、形状異方性部材３２として、直径２０μｍ、厚み０．３μｍのアルミニウム（Ａｌ）フレークを用いることができる。
【００９５】
また、形状異方性部材３２は、着色されていてもよい。例えば、形状異方性部材３２に色素含有樹脂や干渉膜等を設けることで色を付けてもよく、着色した部材により形状異方性部材３２を形成してもよい。
【００９６】
また、形状異方性部材３２の比重は、１１ｇ／ｃｍ３以下であることが好ましく、３ｇ／ｃｍ３以下さらには媒体３１と同等の比重であることがより好ましい。これは、形状異方性部材３２の比重が媒体３１に比べて大きく異なる場合、形状異方性部材３２が沈降または浮遊するという問題が生じるためである。
【００９７】
また、本実施の形態では、図１の（ａ）・（ｂ）に示すように、１画素で反射表示と透過表示との切り替えを可能とするために、形状異方性部材３２が、観察者から見て背面側の基板１０に隣接し、かつ、基板１０に隣接する形状異方性部材３２の長軸が基板１０に平行になるように配向（堆積）したとき（言い換えれば、形状異方性部材３２が、基板１０に貼り付くように基板１０に隣接して配向したとき）に、光変調層３０に入射した光が形状異方性部材３２で多重反射する量の形状異方性部材３２を使用している。
【００９８】
具体的には、２層分の形状異方性部材３２、好適には、数十層分の形状異方性部材３２を使用している。つまり、上記光変調層３０は、形状異方性部材３２を、何れか一方の基板（ここでは、基板１０）上に敷き詰めたときに、形状異方性部材３２が少なくとも２層積層（堆積）される量、好適には、数十層積層される量の形状異方性部材３２を含んでいる。
【００９９】
このように形状異方性部材３２を基板１０上に２層以上堆積させることで、多重反射を引き起こすような、形状異方性部材３２が斜めに堆積した層（形状異方性部材３２の表面が斜めに傾いた層）を、確実に形成することができる。このため、形状異方性部材３２に直方体のフレークを用いた場合であっても、最上層の形状異方性部材３２の向きが基板１０・２０と平行にならず、外光が多重反射を起こし、光が入射側に戻らなくなる。このため、反射光が減少し、黒表示が可能となる。
【０１００】
また、上記したように数十層分の形状異方性部材３２を使用することで、多重反射を引き起こすような、形状異方性部材３２が斜めに堆積した層を、基板全体に渡って、より一層確実に形成することができる。
【０１０１】
なお、形状異方性部材３２として、１層分、あるいは基板１０の表面を１層のフレークで覆うために必要な量を超える程度の量の直方体のフレークを堆積させた場合、フレークが隙間無く敷き詰められるとは考え難く、ある程度隙間が空く代わりに一部で２層以上堆積すると考えられる。
【０１０２】
図４は、形状異方性部材３２として、基板１０の表面を１層のフレークで覆うために必要な量を超える程度の量のフレークを使用した場合に、フレークとフレークとの隙間に別のフレークの一部が入りこみ、斜めになった様子を示す模式図である。
【０１０３】
図４に示すように、フレークを基板１０上に堆積させたときに、フレークとフレークとの間に隙間が生じると、この隙間にフレークの一部が入り込んだり、フレークが、２層以上堆積した別のフレークに斜めに倒れかかったりすることで基板と平行にならないフレークが存在すると、この斜めのフレークにより、多重反射を起こす。
【０１０４】
しかしながら、この場合、例えばバックライト３から入射された入射光がこの隙間を透過したり、フレークで反射した光が観察者側に戻ったりする可能性がある。
【０１０５】
また、形状異方性部材３２として、例えば表面が湾曲したお椀型のフレークを用いた場合、１層分のフレークしか使用しなかった場合でも、フレークの重なり方次第では、多重反射を起こす。しかしながら、十分な多重反射を起こし、反射光を消失させるためには、お椀型のフレークであっても、１層では不十分である。
【０１０６】
このため、十分な多重反射を起こし、反射光を消失させるためには、光変調層３０に、形状異方性部材３２が基板１０上に２層以上堆積する量、好適には数十層堆積する量の形状異方性部材３２が含まれていることが望ましい。
【０１０７】
また、上述したように、お椀型のフレークを用いた場合、１層分のフレークしか使用しなかった場合でも、フレークの重なり方次第では、多重反射を起こす。しかしながら、お椀型のフレークを基板に垂直に配向（縦配向）させた場合には、表面の湾曲の程度にもよるが、その形状が原因で光が拡散するために、バックライト光が十分に透過せず、暗い表示になってしまう可能性がある。また、フレークをお椀型にする場合、単純な直方体のフレークを使用する場合と比較してコストが余分にかかる。
【０１０８】
このため、形状異方性部材３２としては、上述したように種々の形状の形状異方性部材を使用することができるが、直方体状のフレークを使用することが、安価でかつ明るい表示を得ることができることから好ましく、このような直方体状のフレークを用いて多重反射を起こすことに、大きなメリットがある。
【０１０９】
＜媒体３１＞
媒体３１は、可視光領域において透過性を有する材料であり、可視光領域において概ね吸収のない液体や、それらを色素で着色したもの等を用いることができる。また、媒体３１の比重は、形状異方性部材３２と同等であることが好ましい。
【０１１０】
また、媒体３１は、セル内に封止する工程を考慮すると揮発性の低いものであることが好ましい。また、媒体３１の粘度は、応答性に関与するものであり、５ｍＰａ・ｓ以下であることが好ましく、さらに形状異方性部材３２の沈降を防ぐために、０．５ｍＰａ・ｓ以上であることが好ましい。
【０１１１】
また、媒体３１は、単一の物質で形成されていてもよく、複数の物質の混合物で形成されていてもよい。例えば、炭酸プロピレンやＮＭＰ（Ｎメチル２ピロリドン）やフルオロカーボンやシリコーンオイル等を用いることができる。
【０１１２】
＜表示方法＞
次に、表示装置１における表示パネル２の表示方法（駆動方法）について具体的に説明する。なお、ここでは、形状異方性部材３２として、フレークを用いた場合を例に挙げて説明する。
【０１１３】
まず、基本動作として、光変調層３０による光の透過率並びに光の反射率の制御方法について説明する。
【０１１４】
本実施の形態にかかる表示パネル２は、上述したように、形状異方性部材３２が媒体３１に分散された光変調層３０と、光変調層３０に電界を印加する電極１２・２２とを備え、電極１２・２２間に印加される印加電圧の周波数を変えることで、上記形状異方性部材３２の向き（投影像の面積）を可逆的に切り替えるとともに、電極１２に帯電する電荷の極性と電極２２に帯電する電荷の極性とを切り替えることで、形状異方性部材３２が貼り付くように配向する（つまり、堆積する）側の基板を切り替える。
【０１１５】
例えば、電極１２・２２間に、高周波として例えば周波数６０Ｈｚの電圧（交流電圧）を印加すると、誘電泳動現象、クーロン力または電気エネルギー的な観点から説明される力により、図１の（ａ）の右図に示すように、フレークは、その長軸が電気力線に平行になるように回転する。すなわち、フレークは、その長軸が基板１０・２０に垂直になるように配向（縦配向）する。
【０１１６】
したがって、このとき、例えばフレークとして金属片のような可視光反射性のある材料を用いれば、縦配向により、フレークの反射面が基板１０・２０に垂直になる。この結果、バックライト３から光変調層３０へ入射された光は、図１の（ａ）の右図に示すように、光変調層３０を直接透過（通過）するか、もしくは、反射面で反射した後、入射光と反対側の面（つまり、観察者側）に出射される。
【０１１７】
一方、図１の（ａ）の左図並びに図１の（ｂ）の左図および右図に示すように、電極１２・２２間に、低周波として例えば周波数０．１Ｈｚ、または、直流（周波数＝０Ｈｚ）の電圧を印加すると、電気泳動力やクーロン力で説明される力により、帯電性を有するフレークは、その帯電した電荷の極性と逆極性の電荷が帯電された電極付近に吸い寄せられる。そして、フレークは、最も安定した配向をとり、基板１０または基板２０に貼り付くように回転する。
【０１１８】
この結果、フレークは、基板１０・２０のうち、フレークが貼り付く側の基板（つまり、フレークに帯電する電荷の極性と逆極性の電荷が帯電された電極が設けられた基板）に隣接するフレークの長軸が基板１０・２０に平行になるように配向（横配向）する。
【０１１９】
したがって、このとき、例えばフレークとして金属片のような可視光反射性のある材料を用いれば、横配向により、フレークの反射面が基板１０・２０に平行になる。この結果、外部から光変調層３０へ入射された光（例えば、バックライト３から光変調層３０へ入射された光、あるいは、光変調層３０へ入射された外光）は、上記反射面で反射し、反対側の面には透過しない。
【０１２０】
このように、光変調層３０に印加する電圧を、周波数が０となる場合の直流と、交流とで切り替えることにより、または、低周波数と、高周波数とで切り替えることにより、バックライト３から光変調層３０に入射された光の透過率（透過光量）を変化させることができる。
【０１２１】
なお、フレークが横配向する（横配向に切り替わる）場合の周波数は、例えば０Ｈｚ〜０．５Ｈｚの値であり、フレークが縦配向する（縦配向に切り替わる）場合の周波数は、例えば３０Ｈｚ〜１ｋＨｚの値である。
【０１２２】
これらの周波数は、フレーク（形状異方性部材３２）の形状および材質、光変調層３０の厚み（セル厚）等により、予め設定される。すなわち、表示装置１は、光変調層３０に印加する電圧の周波数を、第１の閾値以下の低周波数と第２の閾値以上の高周波数とで切り替えることにより、光の透過率（透過光量）を変化させる。ここでは、例えば、第１の閾値を０．５Ｈｚ、第２の閾値を３０Ｈｚに設定することができる。
【０１２３】
なお、図１の（ａ）・（ｂ）では、一例として、フレークに帯電する電荷の極性が正の場合を示している。
【０１２４】
この場合、図１の（ａ）の左図および図１の（ｂ）の左図に示すように、電極１２・２２間に例えば直流電圧を印加した場合において、電源回路３３のマイナス側を電極１２に接続し、プラス側を電極２２に接続すると、フレークは、マイナスの電荷が帯電された電極１２が設けられた基板１０に貼り付くように配向する。
【０１２５】
また、図１の（ｂ）の右図に示すように、電極１２・２２間に例えば直流電圧を印加した場合において、電源回路３３のマイナス側を電極２２に接続し、プラス側を電極１２に接続すると、フレークは、マイナスの電荷が帯電された電極２２が設けられた基板２０に貼り付くように配向する。
【０１２６】
このように、本実施の形態にかかる表示装置１では、フレークを横配向させる際に、光変調層３０を挟む電極１２・２２間に直流電圧を印加したときの該電圧の極性を切り替えることにより、フレークを、基板１０側または基板２０側に切り替えて配向させることができる。
【０１２７】
なお、表示装置１は、図示しない制御部を備え、電源回路３３により、上記したように透過表示および反射表示に適した周波数の電圧を上記電極１２・２２間に印加するとともに、上記したように、電極１２・２２間に印加する電圧の極性を切り替える。
【０１２８】
また、表示装置１は、表示装置１の近傍の環境光の光レベルを検出するフォトダイオードのような図示しない光センサを備えていてもよく、上記制御部は、上記光センサから送られたデータに基づいて、透過表示を行うか、反射表示を行うかを決定するようになっていてもよい。
【０１２９】
図２は、図１の（ａ）・（ｂ）に示す表示装置１における電源回路３３の概略構成の一例を示す断面図である。
【０１３０】
なお、図２では、一例として、図１の（ｂ）の左図に示す場合を例に挙げて図示している。
【０１３１】
図２に示すように、本実施の形態にかかる表示装置１は、電源回路３３として、例えば、交流電源３３ａ、プラスおよびマイナスの配置が逆に配置されている２種類の直流電源３３ｂ・３３ｃ、および、電極１２・２２とこれら交流電源３３ａおよび直流電源３３ｂ・３３ｃとの接続を切り替えるスイッチ３４（切り替え器）とを有する電源回路を備えている。
【０１３２】
このような表示装置１においては、例えば、図示しない制御部から、電源回路３３において、電極１２・２２に接続される電源を切り替える切替信号が入力されることで、入力された切替信号に基づいて、電極１２・２２を接続する電源を切り替えることで、容易に、直流電圧と交流電圧との切り替えを行うことができるとともに、電極１２に帯電する電荷の極性と電極２２に帯電する電荷の極性とを切り替えることができる。言い換えれば、電極１２・２２間に印加する電圧の極性を切り替えることができる。
【０１３３】
なお、図２では、一例として、スイッチ３４を用いて電極１２・２２に接続される電源を切り替える場合を例に挙げて説明したが、本実施の形態はこれに限定されるものではない。例えば後述する実施の形態４に示すように、ＴＦＴ等のスイッチング素子を用いて制御信号を送ることで、フレークの配向を切り替えてもよい。
【０１３４】
また、図１の（ａ）・（ｂ）および図２では、フレークに帯電する電荷の極性が正の場合を示しているが、これに限定されず、フレークに帯電する電荷の極性が負であってもよい。この場合、フレークが貼り付く基板が、図１の（ａ）・（ｂ）に示す例とは逆になる。
【０１３５】
図３の（ａ）・（ｂ）は、フレークに帯電する電荷の極性が負である場合における表示装置１の要部の概略構成を示す断面図である。なお、図３の（ａ）は、透過表示を行う場合における黒表示時および白表示時の断面図を示し、図３の（ｂ）は、反射表示を行う場合における黒表示時および白表示時の断面図を示す。また、図３の（ａ）・（ｂ）における右図および左図は、それぞれ、１画素の概略構成を示している。
【０１３６】
図３の（ａ）の左図および図３の（ｂ）の左図に示すように、フレークに帯電する電荷の極性が負であり、電極１２・２２間に例えば直流電圧を印加した場合、電源回路３３のマイナス側を電極２２に接続し、プラス側を電極１２に接続すると、フレークは、プラスの電荷が帯電された電極１２が設けられた基板１０に貼り付くように配向する。
【０１３７】
また、図３の（ｂ）の右図に示すように、フレークに帯電する電荷の極性が負であり、電極１２・２２間に例えば直流電圧を印加した場合、電源回路３３のマイナス側を電極１２に接続し、プラス側を電極２２に接続すると、フレークは、プラスの電荷が帯電された電極２２が設けられた基板２０に貼り付くように配向する。
【０１３８】
＜表示モード＞
本実施の形態にかかる表示装置１は、半透過型の表示装置であり、表示装置１の外部から入射された光（外光、すなわち、周囲光）を反射して表示を行う反射表示モードと、バックライト３から照射された光を透過して表示を行う透過表示モードとを含み、上記反射表示モードと透過表示モードとを切り替えて表示を行う。
【０１３９】
表示装置１は、例えば、屋内等の比較的に暗い場所では、バックライト光を利用して透過表示を行う（透過モード）。一方、屋外等の比較的に明るい場所では、外光を利用して反射表示を行う（反射モード）。これにより、周囲の明るさに拘らず、コントラスト比の高い表示を実現できる。このため、表示装置１は、屋内外を問わず、あらゆる照明下（光環境下）での表示が可能であるため、携帯電話、ＰＤＡ、デジタルカメラ等のモバイル機器に好適である。
【０１４０】
以下に、各表示（表示モード）について説明する。
【０１４１】
＜透過表示＞
表示パネル２は、電極１２・２２に、ともに透明電極を使用していることから、図１の（ａ）に示すように、透過表示を得ることができる。この場合、図１の（ａ）の左図に示すように、フレークが横配向のときは光が遮断された状態となり、図１の（ａ）の右図に示すように、フレークが縦配向のときは光が透過する状態となる。
【０１４２】
図１の（ａ）の左図に示すように、本実施の形態では、フレークが基板１０上に２層以上堆積し、フレークが斜めになることにより、多重反射を起こしたり光が層内に閉じ込められたりするために、フレークの反射光が消失し、黒色に見える。
【０１４３】
図５は、形状異方性部材３２としてフレークを用いた場合に、光変調層３０内に入射した外光がフレークにより多重反射する状態を示す模式図である。
【０１４４】
図５に示すように、観察者側から光変調層３０内に入射した光は、２層以上堆積したフレークの層の中で何回も反射を繰り返し、その過程で光が減衰することで、反射光が消失する。
【０１４５】
図５は、反射率９０％のフレーク間で、往路で１０回反射、復路で１０回反射した場合の反射の様子を示している。
【０１４６】
この場合、入射光１００％の光が反射を繰り返し、観察者側に戻る反射光は、次式
（０．９^１０）^２＝１２％
から１２％となり、外光が観察者側に反射し難くなるので、コントラストが向上する。もちろん、光が層内に閉じ込められた場合は、反射光は消失する。
【０１４７】
なお、透過表示を行う場合、つまり、周囲光が十分ではなく、比較的に暗い場所で表示を行う場合、フレークが横配向のときにフレークが堆積する側の基板は、基板１０側でも基板２０側でもよい。この場合、フレークを、基板１０側または基板２０側に堆積させると、光が透過しないので、何れの場合にも黒表示になる。
【０１４８】
しかしながら、観察者から見て背面側の基板１０側に堆積する方が、上述したように、フレークの反射面で反射した光が多重反射を起こし、外光が観察者側に反射し難くなり、コントラストが向上することから、望ましい。
【０１４９】
一方、表示パネル２の背面側にバックライト３を設けてフレークを縦配向させることにより、液晶ディスプレイのような透過表示を行うことができる。
【０１５０】
また、表示パネル２を、例えば携帯電話機等の非表示面（通常の画像表示面ではないボディ面等）に設置すれば、フレークを縦配向させることにより、非表示面に携帯電話機のボディ色を表示させることができる一方、フレークを横配向させることにより、非表示面にフレークの着色を表示させるか、あるいは外光を反射させることができる。
【０１５１】
なお、このような表示装置１では、電極１２・２２をセグメント電極やベタ電極で構成することができるため、回路構成を簡略化することもできる。
【０１５２】
＜反射表示＞
本実施の形態によれば、上述したように電極１２・２２に透明電極を用いても、フレークの堆積位置を変えることで、反射表示を得ることができる。
【０１５３】
すなわち、フレークが、図１の（ｂ）の左図に示すように、観察者から見て背面側の基板１０側に堆積したときには、図５に示したように外光がフレークで多重反射を起こし、反射光が減少する。これにより、黒表示が得られる。
【０１５４】
一方、フレークが、図１の（ｂ）の右図に示すように、観察者側の基板２０側に堆積したときには、外光がフレーク表面で正反射を起こし、反射光が得られる。
【０１５５】
このように、フレークが表示面側の基板２０に貼り付いている場合、理想的には、フレークの反射面により、同一平面（面一状の反射面）が形成されるように観察されることで、鏡面性の高い表示（ミラー反射）が得られる。しかしながら、フレークの表面は、実際には鏡面ではなく、凹凸があるため、散乱光が得られるので、白く見える。また、実際には、基板２０に綺麗にフレークが貼りつくことはなく、多少の凹凸が生じるので、入射光が散乱して白く見える。
【０１５６】
なお、このとき、フレークを金属片としたときは、金属片の反射が得られ、フレークを着色部材で形成すると、フレークによる着色が得られる。
【０１５７】
これにより、反射表示において、黒色（図１の（ｂ）の左図）と、白色（図１の（ｂ）の右図）とを切り替えることができる表示装置１を実現することができる。
【０１５８】
なお、透過表示時にはバックライト３を点灯（ＯＮ（オン））し、反射表示時には、バックライト３は消灯（ＯＦＦ（オフ））される。反射表示時には、バックライト３を使用しないので、消費電力は透過表示時と比較して少ない。
【０１５９】
＜効果＞
このように、本実施の形態にかかる表示装置１によれば、反射表示および透過表示ともに白表示および黒表示を実現することができる。
【０１６０】
一方、特許文献２のように、反射性粒子３１１（図１５の（ａ）・（ｂ）参照）の配向を横配向と縦配向とで切り替えることで反射表示モードと透過表示モードとに切り替える場合、前述したように、反射表示モードで、反射性粒子３１１の反射光を表示し、透過表示モードで、バックライトの光を表示することができるにすぎず、黒を表示することはできない。
【０１６１】
なお、反射表示のみに特化すれば、例えば、観察者から見て背面側の基板に、黒色の光吸収層を設け、フレークを縦配向させることで、黒を表示することも可能になる。しかしながら、このような光吸収層を設けた場合、バックライト光が透過しないため、透過表示を行うことは不可能となる。
【０１６２】
したがって、このようにフレークの配向を横配向と縦配向とで切り替える表示パネルにおいて、反射表示のみならず透過表示も行うとともに、黒の表示を実現するためには、液晶パネルのように、反射モードに使用される反射表示部と、透過モードに使用される透過表示部とを形成せざるを得ない。
【０１６３】
しかしながら、この場合、偏光板に起因する透過率の低下を防ぐことはできるものの、液晶パネル同様、それぞれの表示モードで開口率が半分以下になるため、十分に明るい表示を得ることはできない。
【０１６４】
これに対し、本実施の形態によれば、上述したように、１画素内でフレークが位置や向きを変えることで、１画素全体を透過表示にも反射表示にも切り替えることができる。
【０１６５】
例えば、反射表示の場合、上述したようにフレークを背面側の基板１０側に堆積させると光が多重反射を起こし、黒表示となり、反対に、観察者側の基板２０側に堆積させると、白表示になる。
【０１６６】
一方、透過表示の場合、周囲光が十分ではなく、比較的に暗い場所では、フレークを、基板１０側または基板２０側に堆積させると、光が透過しないので黒表示になり、フレークを縦向きに配向させると、光が透過するので白表示になる。
【０１６７】
このように、本実施の形態にかかる表示装置１によれば、このように画素を表示モード毎に分割することなく、１画素全体を反射表示と透過表示とで切り替えることができるとともに、フレークの配向のみで反射表示も透過表示もともに白および黒を表示することができる。
【０１６８】
しかも、特許文献２は、反射性粒子３１１の配向方向を、縦配向と横配向とで切り替えるために、反射性粒子３１１を透明プレート３０３および絶縁基板３０４に垂直な方向に配向させるための電界Ｖ１を印加する電極３０５・３０６と、反射性粒子３１１を透明プレート３０３および絶縁基板３０４に平行な方向に配向させるための電界Ｖ２を印加する電極３０８・３０９とを必要とする。このため、構成が複雑である。
【０１６９】
これに対し、本実施の形態にかかる表示装置１によれば、電極１２・２２に印加する電圧の周波数を変更することで、フレークの縦配向と横配向とを切り替えることができる。したがって、簡素な構成で、かつ、光の透過率が高く、表示に十分な明るさを確保することができるとともに、黒を表示することができる半透過型の表示装置を提供することができる。
【０１７０】
〔実施の形態２〕
本発明の他の実施の形態について、図６の（ａ）・（ｂ）〜図８に基づいて説明すれば以下の通りである。
【０１７１】
なお、以下の説明では、主に、実施の形態１との相違点について説明するものとし、実施の形態１で説明した各構成要素と同一の機能を有する構成要素には同一の番号を付し、その説明を省略する。
【０１７２】
＜表示装置の概略構成＞
図６の（ａ）・（ｂ）および図７は、それぞれ、本実施の形態にかかる表示装置１の要部の概略構成を示す断面図である。
【０１７３】
なお、図６の（ａ）は、透過表示を行う場合における黒表示時およびＲ（赤）・Ｇ（緑）・Ｂ（青）表示時の断面図を示し、図６の（ｂ）は、反射表示を行う場合における黒表示時および白表示時の断面図を示す。また、図７の（ａ）・（ｂ）における右図および左図は、それぞれ、１画素の概略構成を示し、図７は、Ｒ（赤）・Ｇ（緑）・Ｂ（青）の３つの画素の概略構成を示している。
【０１７４】
図６の（ａ）・（ｂ）に示すように、本実施の形態にかかる表示装置１の基本的な構成は、実施の形態１にかかる表示装置１と同じである。
【０１７５】
本実施の形態にかかる表示装置１は、バックライト３として、Ｒ色、Ｇ色、またはＢ色の発光色を有するバックライトが設けられている点で、実施の形態１にかかる表示装置１と異なっている。
【０１７６】
本実施の形態にかかる表示装置１には、例えば、図７に示すように、Ｒ色、Ｇ色、またはＢ色の発光色を有するバックライト３が、例えば画素毎に固定で配置されている。
【０１７７】
これらＲ・Ｇ・Ｇの各色のバックライト３は、図７に示すようにＲ・Ｇ・Ｇの各色の画素毎に順番に並んで配置されており、透過表示のときは、常に発光している。
【０１７８】
このような表示装置１では、隣接画素の色と混色しないように、図７に示すように、異なる色の画素間に、ストライプ状のリブ等の仕切り４１がそれぞれ設けられていてもよい。すなわち、図６の（ａ）・（ｂ）では、表示パネル２に、図１の（ａ）・（ｂ）に示す表示パネル２と同じ表示パネルを用いた場合を例に挙げて図示しているが、図６の（ａ）・（ｂ）における表示パネル２には、仕切り４１が設けられていてもよい。
【０１７９】
これにより、隣接画素間の混色を防止することができるとともに、フレークの移動による偏り等を防止することもできる。
【０１８０】
なお、上記仕切り４１は、隣接画素間の混色を防止することができれば、その材質や大きさは、特に限定されるものではない。
【０１８１】
なお、上記仕切り４１は、基板１０・２０間の間隙（セルギャップ）を一定に保持するためのスペーサを兼ねていてもよい。上記仕切り４１は、例えば、一般的な柱状スペーサと同様の材料並びに方法を用いて形成することができる。
【０１８２】
次に、このような表示装置１を用いた場合の表示方法について説明する。なお、以下でも、形状異方性部材３２としてフレークを用いた場合について説明する。
【０１８３】
＜透過表示＞
このような表示装置１を使用する場合、例えば、フルカラーで使用したい場合は、透過表示で動作を行う。例えば、電子ブックのディスプレイとして本実施の形態にかかる表示装置１を使用した場合、雑誌等のフルカラーを必要とするコンテンツを見る場合には、透過表示で動作する。
【０１８４】
この場合、図６の（ａ）の右図および図７に示すようにフレークが縦配向しているときは、各画素の下にあるＲ・Ｇ・Ｂの何れかのバックライト３が発光することで、発光したバックライト３の発光色が視覚される。
【０１８５】
一方、図６の（ａ）の左図に示すようにフレークが横配向しているときは、実施の形態１で説明したように、バックライト３の光が透過しないので、黒が視覚される。これにより、フルカラーの表示を行うことができる。
【０１８６】
また、実施の形態１同様、外光の無い暗い場所においても、透過表示で動作を行う。
【０１８７】
＜反射表示＞
一方、低消費電力で使用したい場合には、反射表示で動作を行う。なお、ここでも、電子ブックのディスプレイとして本実施の形態にかかる表示装置１を使用した場合を例に挙げて説明する。
【０１８８】
このような場合に、例えば、外出先で消費電力を抑えつつ、新聞等の白黒のコンテンツを見る場合には、反射表示で動作する。
【０１８９】
この場合、図６の（ｂ）の左図のようにフレークが横配向で下側（背面側の基板１０側）に堆積しているときは、実施の形態１で説明したように外光がフレークにより多重反射を起こし、黒が視覚される。
【０１９０】
反対に、図６の（ｂ）の右図のようにフレークが上側（表示面側の基板２０側）に堆積しているときは、実施の形態１で説明したように外光がフレーク表面で正反射し、白が視覚される。
【０１９１】
何れの場合にも、反射表示時には、バックライト３を使用しないので、消費電力は透過表示と比較して少ない。このため、低消費電力で白黒の表示を行うことができる。
【０１９２】
このように、本実施の形態によれば、カラー表示を行う場合は、フレークを縦配向させて、バックライト３から光変調層３０に入射する光が観察者に到達するようにすることで、カラーフィルタを設けなくても、カラー表示を行うことができる。これにより、低消費電力で白黒の表示を行うことができるのみならず、カラー表示を行う場合、カラーフィルタによる光の損失を抑えることができるため、バックライト３の消費電力を低減させることができる。
【０１９３】
このように、本実施の形態によれば、カラー表示と白黒表示とを切り替えることができる表示装置１を実現することができる。
【０１９４】
＜変形例１＞
なお、図７では、Ｒ・Ｇ・Ｂのバックライト３が、画素毎に固定で配置されている場合を例に挙げて図示した。しかしながら、本実施の形態は、これに限定されるものではない。
【０１９５】
図８は、本実施の形態にかかる表示装置１の要部の概略構成を示すさらに他の断面図である。
【０１９６】
図８に示す表示装置１は、画素毎に、発光色の切り替えが可能なバックライト３を備えている。
【０１９７】
このように、１画素でバックライト３の発光色を、Ｒ、Ｇ、またはＢに切り替えることによっても、図７に示す表示装置１と同様の表示を行うことができる。
【０１９８】
また、このように１画素でバックライト３の発光色を、Ｒ、Ｇ、またはＢに切り替える場合、表示装置１に入力される映像信号に応じて、任意の領域で、バックライト３の発光色を、任意に切り替えることができる。
【０１９９】
なお、本変形例でも、消費電力削減の観点から、バックライト３を使用しないとき、すなわち、反射表示を行う場合、画素毎にバックライト３を消灯してもよい。
【０２００】
＜変形例２＞
また、本実施の形態および上記変形例１では、バックライト３（バックライト３の光源）が、画素毎に設けられている場合を例に挙げて説明した。しかしながら、本実施の形態および上記変形例１は、これに限定されるものではなく、同じ色を表示する複数の画素に対応する領域毎に、バックライト３（バックライト３の光源）が設けられていてもよい。
【０２０１】
この場合、上記領域毎に、隣り合う領域から入射された光の混色を防止する仕切り４１が設けられていればよい。
【０２０２】
〔実施の形態３〕
本発明のさらに他の実施の形態について、図９の（ａ）・（ｂ）および図１０に基づいて説明すれば以下の通りである。
【０２０３】
なお、以下の説明では、主に、実施の形態１、２との相違点について説明するものとし、実施の形態１、２で説明した各構成要素と同一の機能を有する構成要素には同一の番号を付し、その説明を省略する。
【０２０４】
＜表示装置の概略構成＞
図９の（ａ）・（ｂ）および図９は、それぞれ、本実施の形態にかかる表示装置１の要部の概略構成を示す断面図である。
【０２０５】
なお、図９の（ａ）は、透過表示を行う場合における黒表示時およびＲ（赤）・Ｇ（緑）・Ｂ（青）表示時の断面図を示し、図９の（ｂ）は、反射表示を行う場合における黒表示時およびＲ（赤）・Ｇ（緑）・Ｂ（青）表示時の断面図を示す。また、図９の（ａ）・（ｂ）における右図および左図は、それぞれ、１画素の概略構成を示し、図１０は、Ｒ（赤）・Ｇ（緑）・Ｂ（青）の３つの画素の概略構成を示している。
【０２０６】
図９の（ａ）・（ｂ）に示すように、本実施の形態にかかる表示装置１の基本的な構成は、例えば、実施の形態２にかかる表示装置１と同じである。
【０２０７】
本実施の形態にかかる表示装置１は、形状異方性部材３２の表面（反射面）に色を付けた点で、実施の形態２にかかる表示装置１と異なっている。
【０２０８】
＜形状異方性部材３２＞
本実施の形態で用いられる形状異方性部材３２は、上述したように、表面が着色されている。なお、形状異方性部材３２の表面は、色素含有樹脂や干渉膜等を設けることで着色されていてもよく、着色した部材により形状異方性部材３２を形成することで着色されていてもよく、誘電体多層膜やコレステリック樹脂等により形成されていてもよい。
【０２０９】
また、形状異方性部材３２と媒体３１との混合物を、インクジェットを用いて塗り分ける等の手法を用いることもできる。
【０２１０】
本実施の形態では、画素毎に、形状異方性部材３２を、赤、緑、または青に着色した。したがって、本実施の形態にかかる形状異方性部材３２は、少なくとも、赤色に着色された形状異方性部材と、緑色に着色された形状異方性部材と、青色に着色された形状異方性部材とを含んで構成されている。
【０２１１】
＜仕切り４１＞
また、このような表示装置１では、図９の（ａ）・（ｂ）および図１０に示すように、異なる色の画素間に、実施の形態２で説明したような仕切り４１がそれぞれ設けられていることが望ましい。
【０２１２】
これにより、バックライト３からの透過光の混色を防止することができるとともに、異なる色に着色された形状異方性部材３２の移動や偏りを防止することができ、良好なカラー表示を行うことができる。
【０２１３】
次に、このような表示装置１を用いた場合の表示方法について説明する。なお、以下でも、形状異方性部材３２としてフレークを用いた場合について説明する。
【０２１４】
＜透過表示＞
本実施の形態において、透過表示時における表示装置１の動作は、実施の形態２と同じである。このため、本実施の形態では、透過表示時の説明については省略する。
【０２１５】
なお、本実施の形態でも、バックライト３は、図７に示したように、各色（例えばＲ・Ｇ・Ｂ）のバックライト３が、画素毎に固定で配置されていてもよいし、図８に示したように、１画素でバックライト３の発光色を、例えば、Ｒ、Ｇ、またはＢに切り替えてもよい。
【０２１６】
なお、バックライト３から光変調層３０に入射した入射光は、光変調層３０内を直接透過するか、もしくは、フレークの反射面で反射した後に、入射光の入射側とは反対側である表示面側に向かって透過する。
【０２１７】
何れの場合においても、仕切り４１で仕切られた各領域における形状異方性部材３２の表面の色と、バックライト３における発光色とは、同じ色であることが望ましい。これにより、バックライト３から光変調層３０内に入射された光のうち、光変調層３０内を直接透過する光の色と、フレークの反射面で反射した後に、表示面側に向かって透過する光の色とを一致させることができるため、良好なカラー表示を行うことができる。
【０２１８】
＜反射表示＞
表示装置１を、低消費電力で、かつ、フルカラーで使用したい場合には、本実施の形態にかかる表示装置１のように、色付けしたフレークを用いた表示装置１により反射表示を行う。
【０２１９】
この場合、図９の（ｂ）の左図のようにフレークが横配向で下側（背面側の基板１０側）に堆積しているときは、実施の形態１で説明したように外光がフレークにより多重反射を起こし、黒が視覚される。
【０２２０】
一方、図９の（ｂ）の左図のようにフレークが上側（表示面側の基板２０側）に堆積しているときは、外光がフレーク表面で正反射を起こし、フレークの反射光が得られる。このとき、フレークの表面が着色されていることで、フレークによる着色表示を行うことができる。
【０２２１】
以上のように、実施の形態２では、透過表示の場合のみカラー表示（フルカラー表示）が可能であったが、本実施の形態では、表面が着色されたフレークを用いることで、反射表示でもカラー表示（フルカラー表示）を行うことが可能となる。
【０２２２】
また、本実施の形態によれば、反射表示時には、バックライト３を使用しないので、消費電力は透過表示と比較して少ない。このため、反射表示時に、バックライト３を使用することなく、低消費電力でカラー表示を行うことができる。
【０２２３】
また、本実施の形態によれば、上述したように、透過表示であるか反射表示であるかに拘らず、カラーフィルタを設けなくても、カラー表示を行うことができる。これにより、カラー表示を行うに際し、カラーフィルタによる光の損失を抑えることができるため、何れの場合にも、バックライト３の消費電力を低減させることができる。
【０２２４】
＜変形例１＞
なお、図９の（ａ）・（ｂ）では、実施の形態２と同様に、バックライト３として、Ｒ色、Ｇ色、またはＢ色の発光色を有するバックライトを用いた場合を例に挙げて説明した。しかしながら、本実施の形態は、これに限定されるものではなく、実施の形態１で説明したように、白色発光するＬＥＤ（白色発光素子）を光源とするバックライト３を用いてもよい。
【０２２５】
この場合、上述したように、反射表示時には、図９の（ｂ）および図１０に示すように黒またはカラーの表示が行われる一方、透過表示時には、図１の（ａ）に示すように、黒または白の表示が行われる。
【０２２６】
このため、本変形例によれば、反射型の表示を行う場合にはカラー表示を行うことができるとともに、暗く視認性の悪い環境では白黒表示とすることで、明度を重視した表示を行うことができる。
【０２２７】
＜変形例２＞
また、本実施の形態では、形状異方性部材３２が、赤色に着色された形状異方性部材と、緑色に着色された形状異方性部材と、青色に着色された形状異方性部材とを含んで構成されている場合を例に挙げて説明した。
【０２２８】
しかしながら、本実施の形態は、これに限定されるものではなく、赤色、緑色、青色に着色された形状異方性部材３２に代えて、もしくは、これに加えて、シアン（Ｃ）に着色された形状異方性部材、マゼンタ（Ｍ）に着色された形状異方性部材、黄色（Ｙ）に着色された形状異方性部材の少なくとも一部を含んでいてもよい。
【０２２９】
〔実施の形態４〕
本発明のさらに他の実施の形態について、図１１および図１２に基づいて説明すれば以下の通りである。
【０２３０】
なお、以下の説明では、主に、実施の形態１〜３との相違点について説明するものとし、実施の形態１〜３で説明した各構成要素と同一の機能を有する構成要素には同一の番号を付し、その説明を省略する。
【０２３１】
＜表示装置の概略構成＞
図１１は、本実施の形態にかかる表示装置１の要部の概略構成を示す断面図である。
【０２３２】
なお、図１１に示すように、本実施の形態にかかる表示装置１の基本的な構成は、実施の形態１〜３にかかる表示装置１と同じである。
【０２３３】
本実施の形態にかかる表示装置１は、反射表示と透過表示を同時に行う点で、実施の形態１〜３にかかる表示装置１と異なっている。
【０２３４】
なお、図１１は、一例として、実施の形態２にかかる表示装置１において、反射表示と透過表示を同時に行う場合を例に挙げて図示している。
【０２３５】
＜表示方法＞
以下に、このような表示装置１を用いた場合の表示方法について説明する。なお、以下でも、形状異方性部材３２としてフレークを用いた場合について説明する。
【０２３６】
図１１に示す表示装置１は、低消費電力で綺麗なフルカラーを表示したい場合に適している。
【０２３７】
実施の形態３では、透過表示のみならず反射表示でもフルカラーが可能であったが、反射表示のフルカラーは、透過表示のフルカラーと比較すると、性能が劣る。
【０２３８】
そこで、本実施の形態では、白黒の部分は反射表示を行い、ＲＧＢの部分は透過表示を行う。
【０２３９】
このため、本実施の形態では、例えば画素毎もしくは各色の画素毎に、バックライト３の光源として例えばＬＥＤ等の点状光源を用いてエリアアクティブ駆動を行い、反射表示と透過表示とを同時に行う。
【０２４０】
このとき、白黒の部分はバックライト３を消灯し、ＲＧＢの部分はバックライト３を点灯する。これにより、消費電力を抑えつつ綺麗なフルカラー表示を行うことができる。
【０２４１】
なお、本実施の形態でも、バックライト３は、図７に示したように、各色（例えばＲ・Ｇ・Ｂ）のバックライト３が、画素毎に固定で配置されていてもよいし、図８に示したように、１画素でバックライト３の発光色を、例えば、Ｒ、Ｇ、またはＢに切り替えてもよい。
【０２４２】
＜駆動方法＞
以下に、本実施の形態にかかる表示装置１の駆動方法について説明する。なお、以下では、形状異方性部材３２としてフレークを使用し、バックライト３の光源としてＬＥＤを使用し、表示パネル２のスイッチング素子としてＴＦＴを用いた場合を例に挙げて説明する。
【０２４３】
図１２は、本実施の形態にかかる表示装置１の要部の概略構成を示すブロック図である。
【０２４４】
本実施の形態にかかる表示装置１は、図１２に示すように、表示パネル２、バックライト３、映像ＩＣ（Integrated Circuits：集積回路）４、表示パネル用駆動回路５、バックライト用駆動回路６を備えている。
【０２４５】
映像信号が表示装置１に入力されると、この映像信号（入力画像）に基づいてエリアアクティブ処理がなされる。
【０２４６】
このとき、映像ＩＣ４は、映像ＩＣ４に送られた映像信号における輝度信号および色信号から、白、黒、およびＲ、Ｇ、Ｂを判定し、表示パネル用駆動回路５およびバックライト用駆動回路６に、それぞれ制御信号を送信することで、フレークの配向、並びに、ＬＥＤのＯＮとＯＦＦとを切り替える。
【０２４７】
表示パネル用駆動回路５は、各画素のＴＦＴに送られる、映像信号に基づく制御信号に応じて、各画素に対応した電極１２・２２に印加する電圧の周波数並びに電極１２・２２に帯電する電荷の極性を切り替える。
【０２４８】
バックライト用駆動回路６は、各ＬＥＤに送られる、映像信号に基づく制御信号（点灯制御信号）に応じて、ＬＥＤを、白黒表示を行うか、カラー表示を行うかに応じてＯＮまたはＯＦＦすることで、入力画像に対して、各ＬＥＤを各々独立してＯＮまたはＯＦＦする。
【０２４９】
バックライト３における発光面は、マトリクス状に、例えばＭ行×Ｎ列の分割照明領域３ａ（発光部）に区分されており、分割照明領域３ａ毎に、点灯・消灯がなされる。すなわち、本実施の形態では、バックライト３に、導光板として、例えばタンデム導光板等のようにエリア分割された導光板を使用し、エリア毎（つまり、分割照明領域３ａ）にＬＥＤをＯＮまたはＯＦＦしている。
【０２５０】
一方、表示パネル２は、バックライト３の分割照明領域３ａに対応する分割表示領域２ａに仮想的に分割することができる。なお、上記分割照明領域３ａおよび分割表示領域２ａは、表示パネル２における１画素の整数倍（１倍以上）に対応していることが好ましく、上述したように、例えば、画素毎または各色の画素毎に分割される。
【０２５１】
この場合、仕切り４１は、基板１０・２０に垂直な方向から見たときに、光変調層３０における、上記バックライト３の各分割照明領域３ａの境界部分に対応する領域（すなわち、隣り合う画素間、あるいは、同じ色の複数の画素に対応する領域間）に設けられていればよい。
【０２５２】
なお、図１２では、説明の便宜上、バックライト用駆動回路６を、駆動回路の一つとしてバックライト３とは別に図示している。しかしながら、バックライト用駆動回路６は、バックライト３とは別に設けられていてもよく、バックライト３と一体的に設けられていてもよい。
【０２５３】
上記表示装置１では、白黒を表示させる場合、表示パネル用駆動回路５から、表示パネル２における、ある画素（分割表示領域２ａ）のＴＦＴに、フレークを横配向にする制御信号が送られると同時に、バックライト用駆動回路６から、該画素（分割表示領域２ａ）の下に配されたＬＥＤ（上記分割表示領域２ａに対応する分割照明領域３ａに配されたＬＥＤ）に、該ＬＥＤをＯＦＦにする制御信号が送られる。
【０２５４】
一方、ＲＧＢを表示させる場合、表示パネル用駆動回路５から、表示パネル２における、ある画素（分割表示領域２ａ）のＴＦＴに、フレークを縦配向にする制御信号が送られると同時に、バックライト用駆動回路６から、該画素（分割表示領域２ａ）の下に配されたＬＥＤ（上記分割表示領域２ａに対応する分割照明領域３ａに配されたＬＥＤ）に、該ＬＥＤをＯＮにする制御信号が送られる。
【０２５５】
これにより、本実施の形態によれば、反射表示と透過表示とを同時に行うことができる。
【０２５６】
このようにＴＦＴで制御信号を送ることで配向を切り替える場合、例えば縦配向（交流）から横配向（直流）に切り替える場合は、対向する電極（共通電極２２）にオフセット電圧、好ましくは交流で印加する最大電圧よりも低いオフセット電圧を印加し、交流で印加する電圧の強度（振幅）を変えることにより、実質的に交流と直流とを切り替える（直流成分と交流成分の大小関係を調節する）ことができる。また、横配向のままでフレークの位置を基板２０（上基板）と基板１０（下基板）とで切り替える（つまり、白と黒とを切り替える）場合は、オフセット電圧の極性を反転させることで、実質的に直流の極性を切り替えることができる。
【０２５７】
＜変形例＞
なお、本実施の形態では、実施の形態２にかかる表示装置１において、反射表示と透過表示とを同時に行う場合を例に挙げて説明した。しかしながら、本実施の形態はこれに限定されるものではなく、実施の形態１、３、あるいは、上述した各変形例にかかる表示装置１において、エリアアクティブ駆動を行って、反射表示と透過表示とを同時に行ってもよい。
【０２５８】
例えば、図１１に示す表示装置１では、低消費電力で綺麗なフルカラーを表示するために、透過表示のフルカラーと比較して性能が劣る反射表示のフルカラーを使用せず、白黒の部分は反射表示を行い、ＲＧＢの部分は透過表示を行ったが、消費電力をできるだけ抑えるために、実施の形態３の変形例にかかる表示装置１において、反射表示と透過表示とを同時に行ってもよい。
【０２５９】
この場合、図９の（ｂ）の右図および左図に示すように、黒の部分およびカラーの部分（例えばＲＧＢの部分）は反射表示を行い、白の部分は、図１の（ａ）の右図に示すように透過表示を行うことで、低消費電力に重点をおいたフルカラー表示を行うことができる。
【０２６０】
但し、実施の形態２にかかる表示装置１において、反射表示と透過表示とを同時に行う場合には、例えば、表示装置１に入力される映像信号に応じて、１つの分割照明領域３ａ（例えば１画素）でバックライト３の発光色を、Ｒ、Ｇ、またはＢに切り替える場合、表示装置１に入力される映像信号に応じて、バックライト３の発光色を任意に切り替えることができる。
【０２６１】
〔実施の形態５〕
本発明のさらに他の実施の形態について、図１３に基づいて説明すれば以下の通りである。
【０２６２】
なお、以下の説明では、主に、実施の形態１〜４との相違点について説明するものとし、実施の形態１〜４で説明した各構成要素と同一の機能を有する構成要素には同一の番号を付し、その説明を省略する。
【０２６３】
＜表示装置の概略構成＞
図１３は、本実施の形態にかかる表示装置１の要部の概略構成を示す断面図である。
【０２６４】
なお、図１３に示すように、本実施の形態にかかる表示装置１の基本的な構成は、実施の形態１〜４にかかる表示装置１と同じである。
【０２６５】
本実施の形態にかかる表示装置１は、各画素に、Ｒ、Ｇ、Ｂのカラーフィルタ２３を配置してフルカラー表示を行う点で、実施の形態１〜４にかかる表示装置１と異なっている。
【０２６６】
カラーフィルタ２３を使用することで、形状異方性部材３２が着色されているか否か、あるいは、Ｒ、Ｇ、Ｂの発光色を有する光源を使用するか否かに拘らず、簡素な構成で、綺麗なフルカラー表示を行うことができる。
【０２６７】
なお、本実施の形態にかかる上記構成は、実施の形態１〜４およびその変形例の何れの構成にも適用することができる。
【０２６８】
したがって、図１３は、透過表示においてフレークを縦配向させた場合を例に挙げて図示しているが、各画素に、Ｒ、Ｇ、Ｂのカラーフィルタ２３が設けられている点を除けば、実施の形態１〜４と同じ説明が適用される。但し、１つの分割照明領域３ａ（例えば１画素）内でバックライト３の発光色を、Ｒ、Ｇ、またはＢに切り替える場合には、カラーフィルタ２３を配置することはできない。
【０２６９】
また、バックライト３のＲ、Ｇ、Ｂの色と、カラーフィルタ２３のＲ、Ｇ、Ｂの色とは、同じ色の組み合わせにする必要がある。また、形状異方性部材３２（フレーク）の表面を着色する場合には、バックライト３のＲ、Ｇ、Ｂの色と、カラーフィルタ２３のＲ、Ｇ、Ｂの色と、形状異方性部材３２（フレーク）の色とを合わせる必要がある。
【０２７０】
なお、図１３では、基板２０における表示面側（すなわち、光変調層３０とは反対側の表面）にカラーフィルタ２３を設けた場合を例に挙げて図示したが、カラーフィルタ２３の位置は、これに限定されるものではなく、例えば、透過表示にカラー表示を行うか、反射表示時にカラー表示を行うかによって、基板２０における、絶縁基板２１と電極２２との間に設けられていてもよく、基板２０における、光変調層３０側の表面に設けられていてもよく、基板１０側に設けられていてもよい。
【０２７１】
但し、表示面側の基板２０にカラーフィルタ２３を設けることで、フレークを基板２０側に配向させてカラー表示を行う場合、光変調層３０とカラーフィルタ２３との間に発生する視差を抑制することができるため、高品位のカラー表示を実現することができる。
【０２７２】
＜変形例＞
なお、上記各実施の形態にかかる表示装置１は、上述した構成に限定されるものではなく、以下の構成とすることもできる。なお、以下の説明では、特定の基板の構成並びに特定の基板の配置を例に挙げて説明しているが、基板の構成並びに配置は、種々変更することが可能である。
【０２７３】
（電圧印加方法について）
電極１２・２２間への電圧印加方法は、直流と交流とで切り替える構成に限定されず、対向する電極（共通電極）にオフセット電圧、好ましくは交流で印加する最大電圧よりも低いオフセット電圧を印加し、交流で印加する電圧の強度（振幅）を変えることにより、実質的に交流と直流とを切り替える構成（直流成分と交流成分の大小関係を調節する構成）としてもよい。
【０２７４】
また、上述した各実施の形態に記載の表示装置１では、電極１２・２２間に印加する交流電圧の大きさおよび周波数、フレークのサイズ等により、中間調表示を行うことができる。例えば、大きさの異なるフレークを混在させることにより、フレークの大きさに応じて、各フレークの回転角度を変えることができる。これにより、交流電圧の大きさおよび周波数に応じて、光透過率を制御（中間調表示）することができる。
【０２７５】
（基板）
また、上述した各実施の形態では、表示面側の基板および背面側の基板のうち少なくとも一方の基板に、アクティブマトリクス基板を用いた場合を例に挙げて説明した。しかしながら、上記表示パネル２の構成は、これに限定されるものではない。
【０２７６】
単純には、駆動層を挟持する基板の内側全面に、電極として、ＩＴＯやアルミ蒸着層等の導電性の電極膜からなるベタ状電極および櫛歯状電極を形成してもよく、セグメント表示やパッシブ表示可能なように電極をパターニングしてもよい。また、上述したように、ＴＦＴ基板等のアクティブマトリクス基板を少なくとも一方の基板に設けてもよい。
【０２７７】
また、基板の電極上には、導電性、絶縁性および半導体の何れかの膜を形成してもよく、これらの膜を設けなくてもよいが、このような膜を形成するか否か、また、形成する場合に、何れの膜を形成するかは、媒体３１や形状異方性部材３２（フレーク等）の物性により、最適に設計される。
【０２７８】
例えば、媒体３１に炭酸プロピレンを使用し、形状異方性部材３２にアルミニウムフレークを使用した場合、ＩＴＯ膜上にＳｉＯ２膜を１０００Å設けた、セル厚約８０μｍのセルを用いたときは、６０Ｈｚの電界を印加したときには約５Ｖでフレークが縦配向するが、直流を５Ｖ印加しても、電圧印加による横配向への回転は見られなかった。一方、ＩＴＯ膜上に膜を形成しない、セル厚約８０μｍのセルを用いたときは、６０Ｈｚの電界を印加したときには、約５Ｖでフレークが縦配向し、直流を５Ｖ印加することで、フレークは片側の基板に貼り付くように横配向した。
【０２７９】
本発明は上述した各実施形態に限定されるものではなく、請求項に示した範囲で種々の変更が可能であり、また、異なる実施形態にそれぞれ開示された技術的手段を適宜組み合わせて得られる実施形態についても本発明の技術的範囲に含まれる。
【産業上の利用可能性】
【０２８０】
本発明の表示装置は、半透過型の表示装置として、携帯電話、ＰＤＡ、デジタルカメラ等のモバイル機器における表示装置に好適に利用することができる。
【符号の説明】
【０２８１】
１    表示装置
２    表示パネル
２ａ  分割表示領域
３    バックライト
３ａ  分割照明領域
４    映像ＩＣ
５    表示パネル用駆動回路
６    バックライト用駆動回路
１０    基板
１１    絶縁基板
１２    電極
２０    基板
２１    絶縁基板
２２    電極
２３    カラーフィルタ
３０    光変調層
３１    媒体
３２    形状異方性部材
３３    電源回路
３３ａ  交流電源
３３ｂ  直流電源
３３ｃ  直流電源
３４    スイッチ
【図１】
2015143725.tif 000003
【図２】
2015143725.tif 000004
【図３】
2015143725.tif 000005
【図４】
2015143725.tif 000006
【図５】
2015143725.tif 000007
【図６】
2015143725.tif 000008
【図７】
2015143725.tif 000009
【図８】
2015143725.tif 000010
【図９】
2015143725.tif 000011
【図１０】
2015143725.tif 000012
【図１１】
2015143725.tif 000013
【図１２】
2015143725.tif 000014
【図１３】
2015143725.tif 000015
【図１４】
2015143725.tif 000016
【図１５】
2015143725.tif 000017